(57)【要約】【課題】本発明は、アップスタイルやヘアアレンジに使用できるカーラーで、巻いたまま外出、巻き髪をつくるメッシュカーラーとロングヘアピンを提供する。【解決手段】本発明は、黒又、髪色等のメッシュ素材をロール状にしたカーラー又は、メッシュ素材にスポンジや毛たぼ等を包んで作られたカーラーで、巻いた髪の中の空気に、ドライヤーの熱が伝わりやすく、巻き髪を美しく作ることができる。また、ボリュームアップを兼ねアップスタイルやヘアアレンジを容易に作ることができ、巻いたまま出掛けられ、外出先でカーラーを外しアップスタイルから巻き髪スタイルに変身することができる。形状は、筒形、袋形、楕円形、たまご形、球形等、用途に合わせ、さまさまな形状・サイズでの提供が可能で、ロングヘアピンを使えば、カーラーがとめやすく便利である。以上を特徴とする巻いたまま外出できるメッシュカーラーとロングヘアピンに関するものである。【選択図】図１
2014221091.tif 000002
【特許請求の範囲】
【請求項１】
本発明は、黒又は髪色等のメッシュ素材をロール状にしたカーラー、又は、メッシュ素材に毛たぼ、スポンジ等を包んで作られたカーラーで、ヘアピンなどを挿して使用でき、カーラーとしてだけでなく、ボリュームアップを兼ねヘアアレンジやアップスタイルを容易に作ることができ、また、メッシュ素材、毛たぼ等を使用することで、巻いた髪の中の空気に、ドライヤーの熱が伝わりやすく、温風、冷風を利用して巻き髪を美しく作ることができることを特徴とするメッシュカーラーである。
【請求項２】
本発明は、髪に似た柔らかさと、黒又髪色等で目立たないため、巻いたまま出掛けられ、外出先でカーラーを外しアップスタイルから巻き髪スタイルに変身することができることを特徴とする巻いたまま外出できるメッシュカーラーである。
【請求項３】
本発明の形状は、筒形や袋形、楕円形、たまご形、球形等、用途に合わせ、さまさまな形状・サイズでの提供が可能であることを特徴とする請求項１、請求項２に記載のメッシュカーラーである。
【請求項４】
本発明のロングヘアピンは、メッシュカーラーに合わせた長さ（カーラーより少し長い）のもので、カーラーをとめやすく、また、その長さを生かしヘアアレンジに利用できることを特徴とするロングヘアピンである。
【発明の詳細な説明】
【技術分野】
【０００１】
本発明は、アップスタイルやヘアーアレンジに使用できるカーラーで、巻いたまま外出、巻き髪をつくるメッシュカーラーとロングヘアピンに関するものである。
【背景技術】
【０００２】
従来、カーラーといえば、マジックカラー、ホットカーラー、マシュマロ カーラー 、ワンタッチカーラーなどがある。
【発明の概要】
【発明が解決しようとする課題】
【０００３】
従来より、次のような問題点があった。
（イ）カーラーは、巻き髪を作る目的で使用されており、外出用には不向きであった。
（ロ）アップスタイルやヘアアレンジに、カーラー自体を使用することはなかった。
（ハ）カーラーで巻いた髪は、風又は、雨の日など多湿に弱く外出するとすぐにカールが崩れることがあった。
（ニ）カーラーを固定する時、何本もヘアピンを使うことがあった。
本発明は以上の問題点を解決しようとするものである。
【課題を解決するための手段】
【０００４】
黒又は髪色等のメッシュ素材をロール状にしたカーラー、又は、メッシュ素材に毛たぼ、スポンジ等を包んで作られたカーラーで、ヘアピンなどを挿して使用でき、カーラーとしてだけでなく、ボリュームアップを兼ねヘアアレンジやアップスタイルを容易に作ることができる。また、メッシュ素材、毛たぼ等を使用することで、巻いた髪の中の空気に、ドライヤーの熱が伝わりやすく、温風、冷風を利用して巻き髪を美しく作ることができることを特徴とするメッシュカーラーである。
【０００５】
せっかく巻いた髪も、外出先に着く前にとれしまうこともしばしば、しかしメッシュカーラーなら、黒又は髪色等で、目立たないため巻いたまま出掛けられ、外出先でカーラーを外して、アップスタイルから巻き髪スタイルに変身することが可能で、巻いたまま外出できることを特徴とするメッシュカーラーである。
【０００６】
形状は、筒形、袋形、楕円形、たまご形、球形等、用途に合わせ、さまさまな形状・サイズでの提供が可能であることを特徴とするメッシュカーラーである。
【０００７】
ロングヘアピンは、メッシュカーラーに合わせた長さ（カーラーより少し長い）のもので、カーラーがとめやすく、また、その長さを生かしヘアアレンジに利用できることを特徴とするロングヘアピンである。
以上のような手段をとることにより、上記課題を解決しようとするものである。
【発明の効果】
【０００８】
本発明のメッシュカーラーとロングヘアピンは以上のように、カーラーを巻いたままで巻き髪を作ることができるため、忙しい朝や、雨の日など、カーラーを巻いたまま通勤し、会社に着いてから、あるいは、お昼休憩に巻き髪に変身してみたり、逆に、お昼休憩にカーラーを巻き、仕事帰りのデートには、ばっちり巻き髪で極めるなんてことも可能。
また、メッシュ素材に毛たぼ等を包んだ、さまざまな形状・サイズのメッシュカーラーなので、年配の方の痩せた髪のボリュームアップも、若者に流行りの盛り髪も、美容院へ行かなくても簡単に作ることができる。
ロングヘアピンは、メッシュカーラーをとめるだけでなく、長さを生かして、ヘアアレンジに利用することもできる。
【図面の簡単な説明】
【０００９】
【図１】（a）は、本発明のロール状メッシュカーラー正面図である。（a´）は（a）の断面図である。（b）は、本発明の毛たぼ等を包んだメッシュカーラー正面図である。（b´）は（b）の断面図である。（c）は、本発明の楕円形で毛たぼ等を包んだメッシュカーラー正面図である。（c´）は（c）の断面図である。
【図２】本発明のロングヘアピン正面図である。
【発明を実施するための形態】
【００１０】
以下、本発明の形態を図面に基づいて詳述するが、本発明はこれに限定されるものではない。
図１（a）は、メッシュ素材（１）をロール状に巻いたメッシュカーラーの正面図である。（a´）は（a）の断面図である。側面は、（a´）と同じ、又は筒状に仕上げる、あるいは縫い閉じる。
メッシュ素材（１）を使用することで、髪を巻いた時、メッシュ素材（１）の空気の層にドライヤーの熱が伝わりやすくカールが美しく仕上がる。
【００１１】
図１（b）は、毛たぼやスポンジ等（２）を包んだメッシュカーラーの正面図である。（b´）は（b）の断面図である。側面は、筒状に仕上げる又は袋状に縫い合わせる。
毛たぼ等（２）を使うことで、自然な柔らかさのカーラーになり、ボリュームアップを兼ね、アップスタイルやヘアアレンジが容易になる。
【００１２】
（c）は、本発明の楕円形で毛たぼ等を包んだメッシュカーラーの正面図である。（c´）は（c）の断面図である。メッシュカーラーは、用途に合わせ、筒形、袋形、楕円形、たまご形、球形等のさまざまな形状・サイズでの提供が可能である。
【００１３】
図２は、メッシュカーラーより少し長めのロングヘアピン（３）で、メッシュカーラーに挿して使用できるので、髪がとめやすく使用するピンの数を減らすことができる。また、長さを生かし、ヘアアレンジにも便利に利用できる。
【産業上の利用可能性】
【００１４】
メッシュカーラーとロングヘアピンなら、忙しい朝のヘアセットが簡単で、そのまま出掛けてもＯＫ、外出先で巻き髪スタイルに変身すれば、カールもばっちり、朝巻いた髪が崩れてしまったなんて心配もありません。また、さまざまな形状・サイズのメッシュカーラーなので、年配の方の痩せた髪のボリュームアップも、若者に流行りの盛り髪も、美容院へ行かなくても簡単に作ることができ、年齢問わず、いろんな場面での利用の可能性があり、かなりの消費が期待できる。
【符号の説明】
【００１５】
1  メッシュ素材
２  毛たぼ等
３  ロングヘアピン
【図１】
2014221091.tif 000003
【図２】
2014221091.tif 000004